(57)【特許請求の範囲】
【請求項１】
フロアマットの開口部にその両面から嵌合される雄部材及び雌部材から成るフロアマット固定用補強具であって、
前記雄部材は、前記開口部に挿入される柱状で中空部を有する胴部と、
この胴部の一端に設けられ、前記フロアマットを保持する鍔部と、
前記胴部の外周に設けられ、前記雌部材に挿入及び回転して嵌合される外向き突起とを備え、
前記雌部材は、前記雄部材に挿入されて嵌合されるリング状の部材であって、
前記外向き突起に相補的に形成された切り欠きと、
この切り欠きの前記外向き突起の回転方向に隣接して設けられた凸部及びこの凸部に隣接する凹部を有する係合片とを備え、
前記雄部材及び前記雌部材の少なくとも一方に、前記補強具の取り付け及び／又は取り外しを行う治具に係合する係合部を設け、
前記フロアマットの開口部に挿入された前記雄部材に前記雌部材が挿入され、
前記雄部材及び前記雌部材の少なくとも一方が回転されて前記雄部材及び前記雌部材が互いに嵌合されることを特徴とする、フロアマット固定用補強具。
【請求項２】
前記雄部材の前記胴部は、貫通した中空状であることを特徴とする請求項１に記載のフロアマット固定用補強具。
【請求項３】
前記係合片の凸部には、前記切り欠きに向かって凸部の高さが低くなるように傾斜が設けられていることを特徴とする請求項１又は２記載のフロアマット固定用補強具。
【請求項４】
前記雄部材は、前記胴部の内側に設けられ、前記フロアマットが固定されるフロアのリベットが挿入、固着される筒部をさらに備えたことを特徴とする、請求項１〜３のいずれか１項に記載のフロアマット固定用補強具。
【発明の詳細な説明】
【０００１】
【発明の属する技術分野】
本発明は、フロアマット固定用補強具、さらに詳しくは、雄部材と雌部材とを回転させることにより一体化でき、廃棄時にはこれらの雄部材と雌部材とを回転させることによりフロアマットから分離できるフロアマット固定用補強具に関するものである。
【０００２】
【従来の技術】
従来、例えば自動車用のマットがフロアに敷設されており、この場合、マットに穴を空け、この穴を補強するクリップを設けたものが知られている。このマットは、床面に設けられた突起に、この穴を通すことにより固定され、移動が防止される。このようなクリップとして、スナップ係合することのできる上部材と下部材とをスナップ係合させたものが知られている。
【０００３】
図９は、例えば、実公昭６２−３６４７１号公報に示された従来のマットクリップを示す概略断面図である。図において、マットクリップ１は、フロアマット２を上下から挟み、プラスチックで成形された上部材３と下部材４とから構成されている。上部材３は、下面でフロアマット２の上面に接触する上面板５と、上面板５の中央部下面から上面板５の周縁部を越えて下向きに突出する雄筒６を有し、雄筒６の下端部外周にはスナップ係合用の逆止爪条７を一体に張り出して設けられている。
【０００４】
また、下部材４は、フロアマット２の下面に下から接触する下面板８と、下面板８の内周から上向きに起立した一体の雌筒９を有し、雌筒９の内周上端部には、上部材３の逆止爪条７とスナップ係合する逆止爪条１０が内向きに張り出して設けられている。フロアマット２には、雌筒９の外周に適合した取り付け孔１１が設けられている。一方、このフロアマット２が敷かれる例えば自動車などの床パネル１２には、雄筒６の内周内にスナップ係合する頭部と首部を備えたリベット１３が取り付けられている。
【０００５】
従来のマットクリップ１は以上のように構成され、フロアマット２を床に固定するには、まず、フロアマット２の取り付け孔１１に下面から雌筒９を挿入すると共に、雌筒９中に上から雄筒６を押し込み、上部材３及び下部材４を逆止爪条７，１０同士で係合させてフロアマット２を挟む。次いで、上部材３の雄筒６を床パネルに取り付けられたリベット１３の頭部に押し込み、フロアマット２を床パネルに固定する。
【０００６】
【発明が解決しようとする課題】
このようなマットクリップ１は、強度や成形性などの点から、ポリアミド樹脂やポリカーボネート樹脂などから成形されていることが多い。他方、フロアマット２を構成するカーペットは、リサイクル性の点からポリエステル系繊維で構成されているのが好ましい。そのため、このマットクリップ１を装着したフロアマット２をリサイクルする場合には、フロアマット２からマットクリップ１を除去する必要がある。しかしながら、前述のように堅固にスナップ係合したマットクリップ１をフロアマット２から分離させることが困難であるため、実質的にリサイクルすることができないという問題点があった。
【０００７】
本発明は、以上のような従来の問題点を解決するためになされたものであり、使用時には滑りを防止することのできる穴を補強することができ、廃棄時においては、分離してリサイクルが容易なフロアマット固定用補強具を提供することを目的とする。
【０００８】
【課題を解決するための手段】
本発明の請求項１に係る発明は、フロアマットの開口部にその両面から嵌合される雄部材及び雌部材から成るフロアマット固定用補強具であって、前記雄部材は、前記開口部に挿入される柱状で中空部を有する胴部と、この胴部の一端に設けられ、前記フロアマットを保持する鍔部と、前記胴部の外周に設けられ、前記雌部材に挿入及び回転して嵌合される外向き突起とを備え、前記雌部材は、前記雄部材に挿入されて嵌合されるリング状の部材であって、前記外向き突起に相補的に形成された切り欠きと、この切り欠きの前記外向き突起の回転方向に隣接して設けられた凸部及びこの凸部に隣接する凹部を有する係合片とを備え、前記雄部材及び前記雌部材の少なくとも一方に、前記補強具の取り付け及び／又は取り外しを行う治具に係合する係合部を設け、前記フロアマットの開口部に挿入された前記雄部材に前記雌部材が挿入され、前記雄部材及び前記雌部材の少なくとも一方が回転されて前記雄部材及び前記雌部材が互いに嵌合されることを特徴とする、フロアマット固定用補強具である。
【０００９】
請求項２に係る発明は、前記雄部材の前記胴部は、貫通した中空状であることを特徴とする。
【００１１】
請求項３に係る発明は、前記係合片の凸部には、前記切り欠きに向かって凸部の高さが低くなるように傾斜が設けられていることを特徴とする。
【００１２】
請求項４に係る発明は、前記雄部材が、前記胴部の内側に設けられ、前記フロアマットが固定されるフロアのリベットが挿入、固着される筒部をさらに備えたことを特徴とする。
【００１３】
請求項１の発明によれば、雄部材と雌部材とを回転させて嵌合することにより、雄部材と雌部材とを一体化でき、廃棄時には雄部材と雌部材とを逆回転させることにより解放されるので、補強具をフロアマットから分離することができる。従って、補強具及びフロアマットをそれぞれ別々にリサイクルすることができる。また、フロアマット使用時には、雌部材の係合片の凸部により逆回転が阻止され、雄部材と雌部材とは分離しない。補強具によってフロアマットの開口部が保持されるので、開口部を補強でき、フロアマットを長寿命化できる。また、雄部材及び雌部材の少なくとも一方に、補強具の取り付け及び／又は取り外しを行う治具に係合する係合部を設けたので、フロアマットへの装着及び／又はフロアマットからの補強具の取り外しが容易となる。
【００１４】
請求項２の発明によれば、雄部材及び雌部材共に貫通した中空状であるため、フロア面に設けられた突起等との装着作業を効率的に行うことができ、また、装着状態の確認が容易である。
【００１６】
請求項３の発明によれば、雌部材の係合片の凸部に、隣接する切り欠きに向かって凸部の高さが低くなるように傾斜が設けられているので、雌部材に挿入された雄部材の回転を容易にすると同時に、凹部の強度を低下させることなく、凸部と凹部との段差を大きくできるため、雄部材の逆回転が容易に阻止される。
【００１７】
請求項４の発明によれば、雄部材が、胴部の内側に設けられ、前記フロアマットが固定されるフロアのリベットが挿入、固着される筒部を備えているので、リベットと筒部が係合し、リベットから補強具が外れるのを防止する。
【００１８】
【発明の実施の形態】
図１は、本発明の一実施形態によるフロアマット固定用補強具を示す概略斜視図であり、図２は、図１に示すフロアマット固定用補強具の使用状態を示す概略断面図である。これらの図において、フロアマット固定用の補強具２０は、雄部材３０と、この雄部材３０に挿入及び回転して嵌合される雌部材４０とから構成される。なお、図１の雄部材３０及び雌部材４０は、図解が判り易いように、上下が逆に示されている。
【００１９】
雄部材３０は、フロアマット２の取り付け孔１１の開口部に挿入される胴部３１と、この胴部３１の一端に設けられ、フロアマット２を押圧、保持する鍔部３２と、胴部３１の他端の外周に設けられ、雌部材４０に挿入及び回転して嵌合される外向き突起３３と、フロアマットが固定される床パネル１２のリベット１３が挿入、固着される中空の筒部３４とを備える。筒部３４は、その先端にリベット１３の首部１３ａを保持してリベット１３を抜け難くする突出部３５が筒部３４の他端に形成されており、筒部３４の一端側が鍔部３２と一体に結合している。また、筒部３４は、中空部３６の中心から外周方向に弾性的に変形できるように、フロアマット２の厚さ方向にスリット３７が形成され、複数例えば４つに分割されている。
【００２０】
一方、雌部材４０は、雄部材３０に挿入されて嵌合されるリング状の部材であり、図３の裏面図及び図４の側断面図に示すように、前記外向き突起３３が挿入されるように相補的に形成された切り欠き４１と、この切り欠き４１の外向き突起３３が回転する方向に隣接して設けられた凸部４２及びこの凸部４２に隣接する凹部４３を有する係合片４４とを備える。
【００２１】
本発明による補強具２０は以上のように構成され、フロアマット２に次のようにして取り付けられる。まず、フロアマット２の取り付け孔１１内に雄部材３０が挿入される。次に、挿入された雄部材３０の反対側から、外向き突起３３に切り欠き４１が挿入されるように雌部材４０をかぶせる。次いで、図５（ａ）及び（ｂ）に示すように、外向き突起３３が係合片４４に係合する方向に雄部材３０及び／又は雌部材４０を回転する。すると、外向き突起３３は係合片４４の凸部４２を通り越し、凹部４３に係合し、雄部材３０と雌部材４０との一体化が完了する。
【００２２】
こうして一体化された補強具２０を備えたフロアマット２は、自動車等のフロアに固定される場合、床パネル１２に取り付けられた突起部例えばリベット１３に、雄部材３０の筒部３４が挿入されるようにフロアマット２を配置する。この時、リベット１３の首部１３ａに筒部３４の突出部３５が係合され、リベット１３から補強具２０が外れるのを防止する。ここで、補強具２０の雄部材３０及び雌部材４０は共に貫通した中空状であるため、フロア面に設けられた突起等との装着作業を効率的に行うことができ、また、装着状態の確認が容易となる。
【００２３】
次に、フロアマット２を廃棄する場合、まず、フロアマット２をフロア面から取り外す。次に、補強具２０の雄部材３０及び雌部材４０の少なくとも一方を、取り付け時とは反対方向に回転させる。これにより、凹部４３に係合した外向き突起３３は切り欠き４１まで戻され、雄部材３０及び雌部材４０は分離され、フロアマット２から取り外すことができる。
【００２４】
補強具２０は、強度や成形性などの点から、ポリアミド樹脂、ポリカーボネート樹脂、ポリアセタール、或いは変性ポリフェニレンエーテルなどから成形されている。これに対してフロアマット２を構成するカーペットは、リサイクル性の点からポリエステル系繊維で構成されている。本発明においては、雄部材３０及び雌部材４０を互いに逆回転することにより分離できるので、補強具２０とフロアマット２とを別々に回収してリサイクルすることが容易に実施できる。
【００２５】
なお、雄部材３０及び雌部材４０の取り外しは、補強具２０を取り外す治具（図示しない）を使用することができる。この場合、図６に示すように、治具に係合する係合部例えば穴４５を雌部材４０に設けてもよい。また、図７に示すように、治具に係合する係合部例えば切れ込み４６を雌部材４０に設けてもよい。これらの係合部によって、補強具２０の装着及び／又は取り外しが一層容易となる。なお、これらの係合部は、雌部材４０ではなく雄部材３０に設けてもよく、あるいは雄部材３０及び雌部材４０の両方に設けてもよく、装着作業及び／又は取り外し作業の効率を一層向上させることができる。さらに、係合部の代わりに突起等を設けてもよい。また、係合部と突起等を併せて設けてもよい。
【００２６】
また、上述した実施形態においては、雌部材４０に設けられた係合片４４の凸部４２は、図４に示したように矩形状であったが、図８に示すように、切り欠き４１に向かって凸部の高さが低くなるように傾斜が設けられた凸部４７であってもよい。これにより、雄部材３０と雌部材４０とを取り付ける際に、互いの回転が容易となり、作業性が向上し、しかも凹部の強度を低下させることなく凸部と凹部との段差を大きくできるため、雄部材３０の逆回転が容易に阻止される。
【００２７】
さらに、上述した実施形態においては、フロアマットが固定されるフロアのリベット１３が挿入、固着される筒部３４を備えた補強具２０について説明したが、本発明はこれに限定されるものではなく、フロアから例えば棒状の突起部が突出したような場合についても同様に適用できる。この場合、筒部３４は設けなくてもよい。また、貫通した中空部３６が設けられていれば、棒状の突起部の高さが補強具２０の厚さを越えていても、使用が可能となる。
【００２８】
なお、上述した実施形態においては、胴部及び筒部が貫通した中空部を有する場合であったが、本発明はこれに限定されるものではなく、胴部及び／又は筒部の一端が封鎖された中空部であっても使用可能である。
【００２９】
また、胴部３１の外向き突起３３は、他端に設ける必要はない。同様に、筒部３４の突出部３５も、他端に設ける必要はない。
【００３０】
【発明の効果】
以上説明したように、請求項１の発明によれば、雄部材と雌部材とを回転させて嵌合することにより、雄部材と雌部材とを一体化でき、廃棄時には雄部材と雌部材とを逆回転させることにより解放されるので、補強具をフロアマットから分離することができる。従って、補強具及びフロアマットをそれぞれ別々にリサイクルすることができるという効果を奏する。また、フロアマット使用時には、雌部材の係合片により逆回転が阻止され、雄部材と雌部材とは分離が防止されるという効果を奏する。補強具によってフロアマットの開口部が保持されるので、開口部を補強でき、フロアマットを長寿命化できるという効果を奏する。
【００３１】
請求項２の発明によれば、雄部材及び雌部材共に貫通した中空状であるため、フロア面に設けられた突起等との装着作業を効率的に行うことができ、また、装着状態の確認が容易になるという効果を奏する。
【００３２】
請求項３の発明によれば、雄部材及び雌部材の少なくとも一方に、補強具の取り付け及び／又は取り外しを行う治具に係合する係合部を設けたので、フロアマットへの装着及び／又はフロアマットからの補強具の取り外しが容易になるという効果を奏する。
【００３３】
請求項４の発明によれば、雌部材の係合片の凸部に、隣接する切り欠きに向かって凸部の高さが低くなるように傾斜が設けられているので、雌部材に挿入された雄部材の回転が容易となり作業性が向上し、しかも凹部の強度を低下させることなく凸部と凹部との段差を大きくできるため、雄部材又は雌部材の逆回転が容易に阻止できるという効果を奏する。
【００３４】
請求項５の発明によれば、雄部材が、胴部の内側に設けられ、前記フロアマットが固定されるフロアのリベットが挿入、固着される筒部を備えているので、リベットと筒部が係合し、リベットから補強具が外れるのを防止できるという効果を奏する。
【図面の簡単な説明】
【図１】本発明の一実施形態によるフロアマット固定用補強具を示す概略斜視図である。
【図２】図１に示すフロアマット固定用補強具の使用状態を示す概略断面図である。
【図３】本発明の一実施形態による補強具の雌部材を示す裏面図である。
【図４】本発明の一実施形態による補強具の雌部材を示す側断面図である。
【図５】本発明の一実施形態による補強具の雄部材及び雌部材を回転して取り付ける状態を示す裏面図である。
【図６】本発明の他の実施形態による補強具の雌部材を示す裏面図である。
【図７】本発明のさらに他の実施形態による補強具の雌部材を示す裏面図である。
【図８】本発明のさらに他の実施形態による補強具の雌部材を示す側断面図である。
【図９】従来のマットクリップを示す概略断面図である。
【符号の説明】
２…フロアマット、１１…取り付け孔、１２…床パネル、１３…リベット、１３ａ…首部、２０…補強具、３０…雄部材、３１…胴部、３２…鍔部、３３…外向き突起、３４…筒部、３５…突出部、３６…中空部、３７…スリット、４０…雌部材、４１…切り欠き、４２…凸部、４３…凹部、４４…係合片、４５…穴、４６…切れ込み、４７…傾斜が設けられた凸部。
【図１】
0004181739.tif 000002
【図２】
0004181739.tif 000003
【図３】
0004181739.tif 000004
【図４】
0004181739.tif 000005
【図５】
0004181739.tif 000006
【図６】
0004181739.tif 000007
【図７】
0004181739.tif 000008
【図８】
0004181739.tif 000009
【図９】
0004181739.tif 000010